(57)【要約】【課題】複数のコンデンサのリード線をアースブラケットに固着する際の作業性向上を図る。【解決手段】ノイズフィルタＡは、ハウジング１０と、ハウジング１０に取り付けられたアースブラケット２８と、リード線２６，２７が導出した形態の複数のコンデンサ２４と、ハウジング１０に形成され、異なるコンデンサ２４から導出した２本の第１リード線２６同士が互いに接近又は接触するように、２つのコンデンサ２４を保持する保持部１８と、接近又は接触している２本の第１リード線２６をアースブラケット２８に導通可能に固着する半田（固着手段）３３とを備えている。【選択図】図１
2017126947.tif 000002
【特許請求の範囲】
【請求項１】
ハウジングと、
前記ハウジングに取り付けられたアースブラケットと、
リード線が導出した形態の複数のコンデンサと、
前記ハウジングに形成され、異なる前記コンデンサから導出した複数本の前記リード線同士が互いに接近又は接触するように、前記複数のコンデンサを保持する保持部と、
接近又は接触している前記複数本のリード線を前記アースブラケットに導通可能に固着する固着手段とを備えていることを特徴とするノイズフィルタ。
【請求項２】
接近又は接触している前記複数本のリード線が、直線状をなして平行に並んでいることを特徴とする請求項１記載のノイズフィルタ。
【請求項３】
接近又は接触している前記複数本のリード線が、コンデンサ本体から同じ方向へ導出されていることを特徴とする請求項１又は請求項２記載のノイズフィルタ。
【請求項４】
前記コンデンサが、コンデンサ本体の幅方向両端から一対の前記リード線を略平行に導出させた形態であり、
２つの前記コンデンサ本体が、前記対をなすリード線の並び方向と平行に隣り合うように配されていることを特徴とする請求項１ないし請求項３のいずれか１項に記載のノイズフィルタ。
【請求項５】
前記コンデンサが、コンデンサ本体から一対の前記リード線を略平行に導出させた形態であり、
２つの前記コンデンサ本体は、対をなす前記リード線の並び方向と直交する方向に並ぶように配されていることを特徴とする請求項１ないし請求項３のいずれか１項に記載のノイズフィルタ。
【請求項６】
前記ハウジングは、前記コンデンサを収容する箱部と、前記箱部から突出してコネクタを嵌合するためのフード部とを備えており、
前記アースブラケットは、前記箱部から突出するように配された接地用接続部を有しており、
前記接地用接続部が前記箱部から突出する方向は、前記フード部が前記箱部から突出する方向に対して略直角な向きであることを特徴とする請求項１ないし請求項５のいずれか１項記載のノイズフィルタ。
【請求項７】
前記ハウジングは、前記コンデンサを収容する箱部と、前記箱部から突出してコネクタを嵌合するためのフード部とを備えており、
前記アースブラケットは、前記箱部から突出するように配された接地用接続部を有しており、
前記接地用接続部が前記箱部から突出する方向は、前記フード部が前記箱部から突出する方向とは正反対の向きであることを特徴とする請求項１ないし請求項５のいずれか１項記載のノイズフィルタ。
【発明の詳細な説明】
【技術分野】
【０００１】
本発明は、ノイズフィルタに関するものである。
【背景技術】
【０００２】
特許文献１には、アースブラケットと２つのコンデンサとを備えたノイズフィルタが開示されている。各コンデンサには２本のリード線が設けられ、各コンデンサの一方のリード線は、２つの端子金具に個別に半田付けによって固着されている。また、各コンデンサの他方のリード線は、夫々、個別に１つのアースブラケットに半田付けにより固着されている。アースブラケットを自動車のボディ等に接続することにより、ノイズキャンセルの機能が発揮される。
【先行技術文献】
【特許文献】
【０００３】
【特許文献１】特開２０１５−０９５６８３号公報
【発明の概要】
【発明が解決しようとする課題】
【０００４】
上記のノイズフィルタでは、２つのコンデンサのリード線が、１つのアースブラケットに対して別々に半田付けされている。そのため、半田付けの作業が２工程必要となり、製造効率の点で改善が望まれる。
【０００５】
本発明は上記のような事情に基づいて完成されたものであって、複数のコンデンサのリード線をアースブラケットに固着する際の作業性向上を図ることを目的とする。
【課題を解決するための手段】
【０００６】
本発明のノイズフィルタは、
ハウジングと、
前記ハウジングに取り付けられたアースブラケットと、
リード線が導出した形態の複数のコンデンサと、
前記ハウジングに形成され、異なる前記コンデンサから導出した複数本の前記リード線同士が互いに接近又は接触するように、前記複数のコンデンサを保持する保持部と、
接近又は接触している前記複数本のリード線を前記アースブラケットに導通可能に固着する固着手段とを備えているところに特徴を有する。
【発明の効果】
【０００７】
複数本のリード線を、接近又は接触するように配してアースブラケットに固着した。これにより、複数本のリード線をアースブラケットに接続する際には、１工程で作業が済むので、作業性に優れている。
【図面の簡単な説明】
【０００８】
【図１】実施例１のノイズフィルタのカバーを外した状態をあらわす一部切欠平面図
【図２】図１のＸ−Ｘ線断面図
【図３】ノイズフィルタの接続形態の等価回路をあわす回路図
【図４】実施例２のノイズフィルタのカバーを外した状態をあらわす一部切欠平面図
【図５】図４のＹ−Ｙ線断面図
【図６】図４のＺ−Ｚ線断面図
【図７】実施例３のノイズフィルタのカバーを外した状態をあらわす一部切欠平面図
【図８】図７のＭ−Ｍ線断面図
【発明を実施するための形態】
【０００９】
本発明のノイズフィルタは、接近又は接触している前記複数本のリード線が、直線状をなして平行に並んでいてもよい。この構成によれば、リード線を曲げ加工する必要がないので、製造工数が少なくて済む。
【００１０】
本発明のノイズフィルタは、接近又は接触している前記複数本のリード線が、コンデンサ本体から同じ方向へ導出されていてもよい。この構成によれば、複数のコンデンサ本体を並べて配置した状態で、複数本のリード線を接近又は接触させて配置することができる。
【００１１】
本発明のノイズフィルタは、前記コンデンサが、コンデンサ本体の幅方向両端から一対の前記リード線を略平行に導出させた形態であり、２つの前記コンデンサ本体が、前記対をなすリード線の並び方向と平行に隣り合うように配されていてもよい。この構成によれば、リード線を曲げ変形させなくても、一方のコンデンサのリード線と他方のコンデンサのリード線を、接近又は接触して並べることができる。
【００１２】
本発明のノイズフィルタは、前記コンデンサが、コンデンサ本体から一対の前記リード線を略平行に導出させた形態であり、２つの前記コンデンサ本体は、対をなす前記リード線の並び方向と直交する方向に並ぶように配されていてもよい。この構成によれば、コンデンサ本体の並び方向においてノイズフィルタを小型化することができる。
【００１３】
本発明のノイズフィルタは、前記ハウジングは、前記コンデンサを収容する箱部と、前記箱部から突出してコネクタを嵌合するためのフード部とを備えており、前記アースブラケットは、前記箱部から突出するように配された接地用接続部を有しており、前記接地用接続部が前記箱部から突出する方向は、前記フード部が前記箱部から突出する方向に対して略直角な向きであってもよい。この構成によれば、コネクタをフード部に嵌合する際に、接地用接続部が邪魔にならないので、作業性がよい。
【００１４】
本発明のノイズフィルタは、前記ハウジングは、前記コンデンサを収容する箱部と、前記箱部から突出してコネクタを嵌合するためのフード部とを備えており、前記アースブラケットは、前記箱部から突出するように配された接地用接続部を有しており、前記接地用接続部が前記箱部から突出する方向は、前記フード部が前記箱部から突出する方向とは正反対の向きであってもよい。この構成によれば、コネクタをフード部に嵌合する際に、接地用接続部が邪魔にならないので作業性がよい。
【００１５】
＜実施例１＞
以下、本発明を具体化した実施例１を図１〜図３を参照して説明する。尚、以下の説明において、前後の方向については、図１における下方を前方と定義する。左右方向については、図１，２にあらわれる向きを、そのまま左方、右方と定義する。上下方向については、図２にあらわれる向きを、そのまま上方、下方と定義する。
【００１６】
本実施例１のノイズフィルタＡは、２つのコンデンサ２４を備えている。２つのコンデンサ２４は、別系統の２本の導電路Ｗと、共通の１箇所の接地ポイントＥとの間に接続されることで、２本の導電路Ｗのノイズを抑制する機能を発揮する。ノイズフィルタＡは、合成樹脂製のハウジング１０と、上記２つのコンデンサ２４と、１つのアースブラケット２８と、２つの端子金具３４とを備えて構成されている。
【００１７】
ハウジング１０は、ハウジング本体１１と、カバー２３とから構成されている。ハウジング本体１１は、上面が開放された箱部１２と、角筒状をなす左右一対のフード部１３とを有する単一部品である。箱部１２は、前壁部１４と左壁部１５Ｌと右壁部１５Ｒと後壁部１６と底壁部１７とから構成されている。箱部１２の上面の開口はカバー２３で塞がれている。左右一対のフード部１３は、左右に間隔を空けて配置され、前壁部１４から個別に前方へ突出した形態である。各フード部１３には、上記２つの別系統の導電路Ｗに接続したコネクタ（図示省略）が、個別に嵌合されるようになっている。
【００１８】
箱部１２の内部空間のうち後端側の領域には、左右一対の保持部１８が形成されている。左側の保持部１８は、左壁部１５Ｌと、後壁部１６から前方に突出した隔壁部１９と、底壁部１７から上向きに突出した左側前止まり部２０Ｌとから構成されている。右側の保持部１８は、右壁部１５Ｒと、隔壁部１９と、底壁部１７から上向きに突出した右側前止まり部２０Ｒとから構成されている。各保持部１８の内部は、夫々、上方へ開放された収容空間２１となっている。また、箱部１２の内部空間のうち前端側の領域（つまり、２つの保持部１８の前方に隣接する空間）は、後述するリード線２６，２７をアースブラケット２８と端子金具３４に接続するための接続空間２２となっている。
【００１９】
コンデンサ２４は、コンデンサ本体２５と、コンデンサ本体２５の前面から前方へ片持ち状に延出した形態の左右一対のリード線２６，２７とを備えている。２つのコンデンサ２４は、夫々、コンデンサ本体２５を保持部１８の収容空間２１内に収容することで、ハウジング１０に取り付けられている。取り付けられた２つのコンデンサ２４は、左右に接近して隣り合うように配置され、三次元方向において位置決めされている。
【００２０】
２つのコンデンサ２４の並ぶ方向は、１つのコンデンサ２４において一対のリード線２６，２７が並ぶ方向（左右方向）と平行な方向である。また、２つのコンデンサ２４は同じ高さに位置決めされている。したがって、左側のコンデンサ２４のリード線２６，２７と右側のコンデンサ２４のリード線２６，２７は、全て、同じ高さに位置している。
【００２１】
各コンデンサ２４における２本のリード線２６，２７は、コンデンサ本体２５の左右両端部から前方へ突出して接続空間２２内に配されている。また、上記のように２つのコンデンサ２４は、左右に接近して並ぶように配されている。したがって、左側のコンデンサ２４における右端部から突出した第１リード線２６と、右側のコンデンサ２４における左端部から突出した第１リード線２６は、接続空間２２の左右方向中央部に配され、互いに接近して左右に隣り合って並ぶような位置関係となっている。
【００２２】
左側のコンデンサ２４における左端部から突出した第２リード線２７は、左壁部１５Ｌの内面に対し間隔を空けて沿うように配されている。右側のコンデンサ２４における右端部から突出した第２リード線２７は、右壁部１５Ｒの内面に対し間隔を空けて沿うように配されている。
【００２３】
アースブラケット２８は、金属板材を曲げ加工して成形されたものである。アースブラケット２８は、左右方向に細長い水平な接地用接続部２９と、接地用接続部２９の右端縁から上方へ立ち上がった立上り部３０と、立上り部３０の上端縁から右方へ水平に延出した第１リード線用接続部３１とから構成されている。接地用接続部２９の左端部には、アースブラケット２８（ノイズフィルタＡ）を接地ポイントＥに固定するための取付孔３２が形成されている。
【００２４】
アースブラケット２８は、接地用接続部２９のうち右端側領域を底壁部１７の下面に埋設するとともに、接地用接続部２９のうち左端側領域をハウジング１０の左壁部１５Ｌよりも左方へ突出させた形態で、ハウジング１０と一体化されている。接地用接続部２９がハウジング１０の箱部１２から突出する方向は、フード部１３が箱部１２から突出する方向（フード部１３に対するコネクタの嵌合方向）に対し平面視において略直角な向きである。アースブラケット２８をハウジング１０に一体化させる手段は、インサート成形でもよく、ビスやボルト等の締結部材（図示省略）で固定してもよく、ハウジング１０に形成した弾性係止片（図示省略）を係止させてもよい。
【００２５】
立上り部３０は、底壁部１７を貫通して接続空間２２内に配されている。また、第１リード線用接続部３１は、接続空間２２の左右方向における中央部に配されている。上記した２本の第１リード線２６は、第１リード線用接続部３１の上面に対し、載置又は接近して対向するように位置している。そして、２本の第１リード線２６は、半田３３（請求項に記載の固着手段）により、一括して第１リード線用接続部３１の上面に対し導通可能に固着されている。
【００２６】
２つの端子金具３４は、所定形状に打ち抜いた水平な平板状をなす金属板材からなる。２つの端子金具３４は、全体として前後方向に細長く、左右対称な形状である。端子金具３４のうち接続空間２２内に配された後端側部分は、第２リード線用接続部３５となっている。第２リード線用接続部３５は、第２リード線２７の位置に合わせて、左右方向における端部寄りの位置に配されている。そして、左側の第２リード線用接続部３５の上面には、左側の第２リード線２７が半田３６により導通可能に固着されている。右側の第２リード線用接続部３５の上面には、右側の第２リード線２７が半田３６により導通可能に固着されている。
【００２７】
端子金具３４の前端側部分は、コネクタ用接続部３７となっている。コネクタ用接続部３７は、第２リード線用接続部３５よりも左右方向中央寄りの位置に配置されている。したがって、端子金具３４の平面形状は、第２リード線用接続部３５とコネクタ用接続部３７が左右に位置ずれした段差状をなしている。コネクタ用接続部３７の基端部は、前壁部１４に形成した貫通孔３８に圧入状態で貫通している。コネクタ用接続部３７の前端側部分は、フード部１３内に配され、フード部１３に嵌合された相手側コネクタ（図示省略）の相手側端子（図示省略）と導通可能に接続されるようになっている。
【００２８】
２つのフード部１３には、２系統の導電路Ｗに個別に接続された２つの相手側コネクタ（図示省略）が嵌合される。すると、各相手側コネクタの相手側端子が、夫々、２つの端子金具３４のコネクタ用接続部３７に接続される。アースブラケット２８の接地用接続部２９は、その取付孔３２に挿通したボルト（図示省略）を自動車のボディ等の接地ポイントＥにねじ込むことにより、導通可能に固定される。このようにして２つのコンデンサ２４は、別系統の２本の導電路Ｗと、共通の１箇所の接地ポイントＥとの間に接続される。このように接続したノイズフィルタＡにより、２本の導電路Ｗのノイズが抑制される。
【００２９】
本実施例１のノイズフィルタＡは、ハウジング１０と、ハウジング１０に取り付けられたアースブラケット２８と、リード線２６，２７が導出した形態の２つのコンデンサ２４とを備える。ハウジング１０には、異なるコンデンサ２４から導出した２本の第１リード線２６同士が互いに接近するように、２つのコンデンサ２４を保持する２つの保持部１８が形成されている。そして、接近するように配された２本の第１リード線２６は、１塊の半田３３により、アースブラケット２８に導通可能に固着されている。これにより、２本の第１リード線２６をアースブラケット２８に接続する際には、１工程で作業が済むので、作業性に優れている。
【００３０】
また、コンデンサ２４は、コンデンサ本体２５の幅方向（左右方向）両端から一対のリード線２６，２７を略平行に導出させた形態であり、２つのコンデンサ本体２５が、対をなすリード線２６，２７の並び方向と平行に隣り合うように配されている。この構成によれば、リード線２６，２７を曲げ変形させなくても、一方のコンデンサ２４の第１リード線２６と他方のコンデンサ２４の第１リード線２６を、接近又は接触して並べることができる。また、第１リード線２６を曲げ加工する必要がないので、製造工数が少なくて済む。さらに、接近している２本の第１リード線２６は、コンデンサ本体２５から同じ方向（前方）へ導出されている。この構成により、２つのコンデンサ本体２５を並べて配置した状態で、２本の第１リード線２６を接近させて配置することが実現できた。
【００３１】
また、本実施例１のノイズフィルタＡは、ハウジング１０が、コンデンサ２５を収容する箱部１２と、箱部１２から突出してコネクタ１００を嵌合するためのフード部１３とを備えている。そして、アースブラケット２８は、箱部１２から突出するように配された接地用接続部２９を有しており、接地用接続部２９が箱部１２から突出する方向は、フード部１３が箱部１２から突出する方向に対して略直角な向きである。この構成によれば、コネクタ１００をフード部１３に嵌合する際に、コネクタ１００が接地用接続部２９と干渉する虞がないので、作業性が良い。
【００３２】
＜実施例２＞
次に、本発明を具体化した実施例２を図４〜図６を参照して説明する。本実施例２のノイズフィルタＢの使用形態は、上記実施例１と同じである。即ち、本実施例２のノイズフィルタＢは、実施例１と同じく、２つのコンデンサ５４を備えている。２つのコンデンサ５４は、別系統の２本の導電路Ｗと、共通の１箇所の接地ポイントＥとの間に接続されることで、２本の導電路Ｗのノイズを抑制する機能を発揮する。ノイズフィルタＢは、合成樹脂製のハウジング４０と、上記２つのコンデンサ５４と、１つのアースブラケット５８と、２つの端子金具６４とを備えて構成されている。
【００３３】
実施例１と同じ作用効果については、説明を省略する。また、以下の説明において、前後の方向については、図４における下方、及び図６における左方を、前方と定義する。左右方向については、図４，５にあらわれる向きを、そのまま左方、右方と定義する。上下方向については、図５，６にあらわれる向きを、そのまま上方、下方と定義する。
【００３４】
ハウジング４０は、ハウジング本体４１と、カバー４２とから構成されている。ハウジング本体４１は、上面が開放された箱部４３と、角筒状をなす左右一対のフード部４４とを有する単一部品である。箱部４３は、平板状の前壁部４５と、屈曲形状の左壁部４６Ｌと、屈曲形状の右壁部４６Ｒと、平板状の後壁部４７と、平板状の底壁部４８とから構成されている。箱部４３の上面の開口はカバー４２で塞がれている。左右一対のフード部４４は、左右に間隔を空けて配置され、前壁部４５から個別に前方へ突出した形態である。各フード部４４には、上記２つの別系統の導電路Ｗに接続したコネクタ（図示省略）が、個別に嵌合されるようになっている。
【００３５】
箱部４３の内部空間のうち後端側の領域には、左右一対の保持部４９が形成されている。左側の保持部４９は、左壁部４６Ｌと、後壁部４７から前方に突出した隔壁部５０とから構成されている。左壁部４６Ｌと隔壁部５０の前端部には、互いに対向するように突出した縦長リブ状のストッパ５１が形成されている。右側の保持部４９は、右壁部４６Ｒと、隔壁部５０とから構成されている。右壁部４６Ｒと隔壁部５０の前端部には、互いに対向するように突出した縦長リブ状のストッパ５１が形成されている。各保持部４９の内部は、夫々、上方へ開放された収容空間５２となっている。
【００３６】
また、箱部４３の内部空間のうち前端側の領域（つまり、２つの保持部４９の前方に隣接する空間）は、後述するリード線５６，５７をアースブラケット５８と端子金具６４に接続するための接続空間５３となっている。この接続空間５３においては、底壁部４８の一部が切欠されており、後述するアースブラケット５８の第１リード線用接続部６１の上面が露出している。
コンデンサ５４は、コンデンサ本体５５と、コンデンサ本体５５の前面から前方へ片持ち状に延出した形態の上下一対のリード線５６，５７とを備えている。２つのコンデンサ５４は、夫々、コンデンサ本体５５を保持部４９の収容空間５２内に収容することで、ハウジング４０に取り付けられている。取り付けられた２つのコンデンサ５４は、左右に接近して隣り合うように配置され、三次元方向において位置決めされている。
【００３７】
２つのコンデンサ５４の並ぶ方向は、１つのコンデンサ５４において一対のリード線５６，５７が並ぶ方向に対して直角な方向である。また、２つのコンデンサ５４は同じ高さに位置決めされている。したがって、左側のコンデンサ５４の下側の第１リード線５６と右側のコンデンサ５４の下側の第１リード線５６は、同じ高さに位置している。左側のコンデンサ５４の上側の第２リード線５７と右側のコンデンサ５４の上側の第２リード線５７は、同じ高さに位置している。
【００３８】
各コンデンサ５４における２本のリード線５６，５７は、コンデンサ本体５５の左右両端部から前方へ突出して接続空間５３内に配されている。左側の第１リード線５６の途中部分は、前後方向に対して斜めに曲げられており、この左側の第１リード線５６の前端部は、その後端部に対して斜め右下前方に位置している。一方、右側の第１リード線５６の途中部分は、左側の第１リード線５６とは左右対称をなすように前後方向に対して斜めに曲げられている。この右側の第１リード線５６の前端部は、その後端部に対して斜め左下前方に位置している。これにより、左右両第１リード線５６，５６の前端部同士は、接続空間５３の左右方向中央部に配され、互いに接近して左右に隣り合って並ぶような位置関係となっている。
【００３９】
アースブラケット５８は、左右方向に細長い水平な金属板材からなる。アースブラケット５８は、その右側部分を底壁部４８の下面に埋設した状態でハウジング４０と一体化されている。アースブラケット５８をハウジング４０に一体化させる手段は、インサート成形でもよく、ビスやボルト等の締結部材（図示省略）で固定してもよく、ハウジング４０に形成した弾性係止片（図示省略）を係止させてもよい。
【００４０】
アースブラケット５８のうちハウジング４０の左壁部４６Ｌよりも左方に突出した部分は、接地用接続部５９として機能する。接地用接続部５９がハウジング４０の箱部４３から突出する方向は、フード部４４が箱部４３から突出する方向（フード部４４に対するコネクタの嵌合方向）に対し平面視において略直角な向きである。接地用接続部５９の左端部には、アースブラケット５８（ノイズフィルタＢ）を接地ポイントＥに固定するための取付孔６０が形成されている。アースブラケット５８のうち、底壁部４８に埋設されている部分は、第１リード線用接続部６１として機能する。第１リード線用接続部６１の上面の一部は、底壁部４８の切欠部６２において接続空間５３内に露出している。この第１リード線用接続部６１の上面の露出領域には、２本の第１リード線５６の前端部が、載置又は接近して対向している。そして、２本の第１リード線５６の前端部は、半田６３（請求項に記載の固着手段）により、一括して第１リード線用接続部６１の上面に対し導通可能に固着されている。
【００４１】
２つの端子金具６４は、所定形状に打ち抜いた水平な平板状をなす金属板材からなる。２つの端子金具６４は、全体として前後方向に細長く、左右対称な形状である。端子金具６４のうち接続空間５３内に配された後端側部分は、第２リード線用接続部６５となっている。第２リード線用接続部６５は、第２リード線５７の位置に合わせて、左右方向における端部寄りの位置に配されている。そして、左側の第２リード線用接続部６５の上面には、左側の第２リード線５７が半田６６により導通可能に固着されている。右側の第２リード線用接続部６５の上面には、右側の第２リード線５７が半田６６により導通可能に固着されている。
【００４２】
端子金具６４の前端側部分は、コネクタ用接続部６７となっている。コネクタ用接続部６７は、第２リード線用接続部６５よりも左右方向端部寄りの位置に配置されている。したがって、端子金具６４の平面形状は、第２リード線用接続部６５とコネクタ用接続部６７が左右に位置ずれした段差状をなしている。コネクタ用接続部６７の基端部は、前壁部４５に形成した貫通孔６８に圧入状態で貫通している。コネクタ用接続部６７の前端側部分は、フード部４４内に配され、フード部４４に嵌合された相手側コネクタ（図示省略）の相手側端子（図示省略）と導通可能に接続されるようになっている。
【００４３】
２つのフード部４４には、２系統の導電路Ｗに個別に接続された２つの相手側コネクタ（図示省略）が嵌合される。すると、各相手側コネクタの相手側端子が、夫々、２つの端子金具６４のコネクタ用接続部６７に接続される。アースブラケット５８の接地用接続部５９は、その取付孔６０に挿通したボルト（図示省略）を自動車のボディ等の接地ポイントＥにねじ込むことにより、導通可能に固定される。このようにして２つのコンデンサ５４は、別系統の２本の導電路Ｗと、共通の１箇所の接地ポイントＥとの間に接続される。このように接続したノイズフィルタＢにより、２本の導電路Ｗのノイズが抑制される。
【００４４】
本実施例２のノイズフィルタＢは、ハウジング４０と、ハウジング４０に取り付けられたアースブラケット５８と、リード線５６，５７が導出した形態の２つのコンデンサ５４とを備える。ハウジング４０には、異なるコンデンサ５４から導出した２本の第１リード線５６同士が互いに接近するように、２つのコンデンサ５４を保持する２つの保持部４９が形成されている。そして、接近するように配された２本の第１リード線５６は、１塊の半田６３により、アースブラケット５８に導通可能に固着されている。これにより、２本の第１リード線５６をアースブラケット５８に接続する際には、１工程で作業が済むので、作業性に優れている。
【００４５】
本実施例２のノイズフィルタＢは、コンデンサ５４が、コンデンサ本体５５から上下一対のリード線５６，５７を略平行に導出させた形態である。そして、２つのコンデンサ本体５５は、対をなすリード線５６，５７の並び方向（上下方向）と直交する方向（左右方向）に並ぶように配されている。この構成によれば、コンデンサ本体５５の並び方向（左右方向）においてノイズフィルタＢを小型化することができる。
【００４６】
＜実施例３＞
次に、本発明を具体化した実施例３を図７〜図８を参照して説明する。本実施例３のノイズフィルタＣの使用形態は、上記実施例１と同じである。即ち、本実施例３のノイズフィルタＣは、実施例１と同じく、２つのコンデンサ５４を備えている。２つのコンデンサ５４は、別系統の２本の導電路Ｗと、共通の１箇所の接地ポイントＥとの間に接続されることで、２本の導電路Ｗのノイズを抑制する機能を発揮する。ノイズフィルタＣは、合成樹脂製のハウジング４０と、上記２つのコンデンサ５４と、１つのアースブラケット７０と、２つの端子金具６４とを備えて構成されている。
【００４７】
本実施例３のノイズフィルタＣは、実施例１とは異なるアースブラケット７０を有している。その他の構成については、基本的に実施例１と同じであるから、詳しい説明は省略する。また、実施例１と同じ作用効果については、説明を省略する。また、以下の説明において、前後の方向については、図７における下方、前方と定義する。左右方向については、図７，８にあらわれる向きを、そのまま左方、右方と定義する。上下方向については、図８にあらわれる向きを、そのまま上方、下方と定義する。
【００４８】
アースブラケット７０は、金属板材を曲げ加工して成形されたものである。アースブラケット７０は、前後方向に細長い水平な接地用接続部７１と、接地用接続部７１の前端縁から上方へ立ち上がった立上り部７２と、立上り部７２の上端縁から前方へ水平に延出した第１リード線用接続部７３とから構成されている。接地用接続部７３の左端部には、アースブラケット７０（ノイズフィルタＣ）を接地ポイントＥに固定するための取付孔７４が形成されている。
【００４９】
アースブラケット７０は、接地用接続部７１のうち前端側領域を底壁部１７の下面に埋設するとともに、接地用接続部７１のうち後端側領域をハウジング１０の後壁部１６よりも後方へ突出させた形態で、ハウジング１０と一体化されている。接地用接続部７１がハウジング１０の箱部１２から突出する方向は、フード部１３が箱部１２から突出する方向に対し平面視において正反対の向きである。アースブラケット７０をハウジング１０に一体化させる手段は、インサート成形でもよく、ビスやボルト等の締結部材（図示省略）で固定してもよく、ハウジング１０に形成した弾性係止片（図示省略）を係止させてもよい。
【００５０】
立上り部７２は、底壁部１７を貫通して接続空間２２内に配されている。また、第１リード線用接続部７３は、接続空間２２の左右方向における中央部に配されている。上記した２本の第１リード線２６は、第１リード線用接続部７３の上面に対し、載置又は接近して対向するように位置している。そして、２本の第１リード線２６は、半田３３（請求項に記載の固着手段）により、一括して第１リード線用接続部７３の上面に対し導通可能に固着されている。
【００５１】
本実施例３のノイズフィルタＣは、ハウジング１０が、コンデンサ２５を収容する箱部１２と、箱部１２から突出してコネクタ１００を嵌合するためのフード部１３とを備えている。そして、アースブラケット７０は、箱部１２から突出するように配された接地用接続部７１を有しており、接地用接続部７１が箱部１２から突出する方向は、フード部１３が箱部１２から突出する方向とは正反対の向きである。この構成によれば、コネクタ１００をフード部１３に嵌合する際に、コネクタ１００が接地用接続部７１と干渉する虞がないので、作業性が良い。
【００５２】
＜他の実施例＞
本発明は上記記述及び図面によって説明した実施例に限定されるものではなく、例えば次のような実施例も本発明の技術的範囲に含まれる。
（１）上記実施例１〜３では、１つのアースブラケットに２つのコンデンサを接続したが、１つのアースブラケットに接続されるコンデンサの数は、３つ以上であってもよい。
（２）上記実施例１〜３では、アースブラケットに固着される２本のリード線を接触しないように配置したが、２本のリード線を直接接触させてもよい。
（３）上記実施例１〜３では、リード線を直線状のままでアースブラケットに固着したが、リード線は曲げ加工した状態でアースブラケットに固着されてしてもよい。
（４）上記実施例１〜３では、アースブラケットに固着される２本のリード線が、コンデンサ本体から同じ向きに導出されているが、アースブラケットに固着される２本のリード線がコンデンサ本体から導出する方向は、互いに逆の向きや、互いに交差する向きであってもよい。
（５）上記実施例１〜３では、固着手段が半田であるが、固着手段としては溶接や導電性接着剤等であってもよい。
（６）上記実施例３において、接地用接続部がハウジングの箱部から突出する方向を、箱部からフード部が突出する方向に対して正反対の向きとする構成は、実施例２にも適用することができる。
【符号の説明】
【００５３】
Ａ，Ｂ，Ｃ…ノイズフィルタ
１０，４０…ハウジング
１２…箱部
１３…フード部
１８，４９…保持部
２４，５４…コンデンサ
２５，５５…コンデンサ本体
２６，５６…第１リード線（リード線）
２７，５７…第２リード線（リード線）
２８，５８，７０…アースブラケット
２９，５９，７１…接地用接続部
３３，６３…半田（固着手段）
１００…コネクタ
【図１】
2017126947.tif 000003
【図２】
2017126947.tif 000004
【図３】
2017126947.tif 000005
【図４】
2017126947.tif 000006
【図５】
2017126947.tif 000007
【図６】
2017126947.tif 000008
【図７】
2017126947.tif 000009
【図８】
2017126947.tif 000010